(57)【要約】  本発明の目的は、受け付けられる利用者の操作の方法を容易に切り替えられる操作ボタン（１３）および操作盤を提供することである。操作ボタン（１３）は、プッシュボタンユニット（２４）と、タッチボタンキャップ（２９）と、タッチ検出部（３０）と、を備える。プッシュボタンユニット（２４）は、変位部（３３）およびプッシュ検出部（２６）を備える。変位部（３３）は、前後方向に変位可能に保持される。プッシュ検出部（２６）は、変位部（３３）の変位によって利用者の前方からのプッシュ操作を検出する。タッチボタンキャップ（２９）は、プッシュボタンユニット（２４）の前方に着脱可能に取り付けられる。タッチボタンキャップ（２９）は、前面に接触面（Ｓ１）を有する。タッチ検出部（３０）は、接触面（Ｓ１）に触れる利用者のタッチ操作を検出する。タッチ検出部（３０）は、タッチボタンキャップ（２９）に設けられる。
2020084661.tif 000002
【特許請求の範囲】
【請求項１】
前後方向に変位可能に保持される変位部、および前記変位部の変位によって利用者の前方からのプッシュ操作を検出するプッシュ検出部、を備えるプッシュボタンユニットと、
前記プッシュボタンユニットの前方に着脱可能に取り付けられ、前面に接触面を有するタッチボタンキャップと、
前記接触面に触れる前記利用者のタッチ操作を検出し、前記タッチボタンキャップに設けられるタッチ検出部と、
を備えるエレベーターの操作ボタン。
【請求項２】
前記タッチボタンキャップは、前記変位部の前後方向の変位を妨げる規制部を有する
請求項１に記載のエレベーターの操作ボタン。
【請求項３】
前記タッチボタンキャップは、前記変位部に取り付けられ、
前記規制部は、前記プッシュボタンユニットの外周より外側において、前記タッチボタンキャップの前面の外周から後方に向けて立ち上がる
請求項２に記載のエレベーターの操作ボタン。
【請求項４】
前記タッチボタンキャップは、前記プッシュボタンユニットの外周を覆う
請求項１から請求項３のいずれか一項に記載のエレベーターの操作ボタン。
【請求項５】
前記変位部の前後方向の変位を妨げるストッパー
を備える請求項１から請求項４のいずれか一項に記載のエレベーターの操作ボタン。
【請求項６】
前記プッシュボタンユニットは、前記変位部の前面に設けられ可視光を発する発光素子を備え、
前記タッチボタンキャップの少なくとも一部は、可視光を透過させる
請求項１から請求項５のいずれか一項に記載のエレベーターの操作ボタン。
【請求項７】
前記タッチボタンキャップの前記接触面の一部は、可視光を透過させず、
前記タッチ検出部は、前記接触面の可視光を透過させない部分の後側に設けられる
請求項６に記載のエレベーターの操作ボタン。
【請求項８】
前記タッチ検出部は、前記接触面と基準電位点との間の静電容量の変化に基づいて前記接触面に触れる前記利用者のタッチ操作を検出する
請求項１から請求項７のいずれか一項に記載のエレベーターの操作ボタン。
【請求項９】
請求項１から請求項８のいずれか一項に記載のエレベーターの操作ボタン
を備えるエレベーターの操作盤。
【発明の詳細な説明】
【技術分野】
【０００１】
本発明は、エレベーターの操作ボタンおよびエレベーターの操作盤に関する。
【背景技術】
【０００２】
特許文献１にエレベーターの操作ボタンの例が記載されている。操作ボタンは、前面に操作面を有する。操作ボタンは、操作面に接触面を有する。操作ボタンは、操作面が押し込まれたときに呼びを出力する。操作ボタンは、接触面に利用者の指が触れたときに呼びを出力する。
【先行技術文献】
【特許文献】
【０００３】
【特許文献１】日本特開２００４−２９９８７６号公報
【発明の概要】
【発明が解決しようとする課題】
【０００４】
しかしながら、特許文献１の操作ボタンにおいて、タッチ操作をする利用者の指が接触面に触れたことを検出する基板は、呼びを生成する基板と一体になっている。このため、操作ボタンが受け付ける利用者の操作の方法をタッチ操作からプッシュ操作に切り替えるために、操作ボタンの全体を交換するなどの煩雑な作業が必要となる。【０００５】
本発明は、このような課題を解決するためになされた。本発明の目的は、受け付けられる利用者の操作の方法を容易に切り替えられる操作ボタンおよび操作盤を提供することである。
【課題を解決するための手段】
【０００６】
本発明に係るエレベーターの操作ボタンは、前後方向に変位可能に保持される変位部、および変位部の変位によって利用者の前方からのプッシュ操作を検出するプッシュ検出部、を備えるプッシュボタンユニットと、プッシュボタンユニットの前方に着脱可能に取り付けられ、前面に接触面を有するタッチボタンキャップと、接触面に触れる利用者のタッチ操作を検出し、タッチボタンキャップに設けられるタッチ検出部と、を備える。【０００７】
本発明に係るエレベーターの操作盤は、上記の操作ボタンを備える。
【発明の効果】
【０００８】
これらの発明によれば、操作ボタンは、プッシュボタンユニットと、タッチボタンキャップと、タッチ検出部と、を備える。プッシュボタンユニットは、変位部およびプッシュ検出部を備える。変位部は、前後方向に変位可能に保持される。プッシュ検出部は、変位部の変位によって利用者の前方からのプッシュ操作を検出する。タッチボタンキャップは、プッシュボタンユニットの前方に着脱可能に取り付けられる。タッチボタンキャップは、前面に接触面を有する。タッチ検出部は、接触面に触れる利用者のタッチ操作を検出する。タッチ検出部は、タッチボタンキャップに設けられる。これにより、操作ボタンが受け付ける利用者の操作の方法の切替えが容易になる。
【図面の簡単な説明】
【０００９】
【図１】実施の形態１に係るエレベーターの構成図である。
【図２】実施の形態１に係る乗場操作盤の正面図である。
【図３】実施の形態１に係るかご操作盤の正面図である。
【図４】実施の形態１に係る操作ボタンのブロック図である。
【図５】実施の形態１に係る操作ボタンの分解斜視図である。
【発明を実施するための形態】
【００１０】
実施の形態１．
図１は、実施の形態１に係るエレベーターの構成図である。
【００１１】
エレベーター１は、建築物に設けられる。建築物は、複数の階を有する。エレベーター１において、昇降路２は、建築物の各階を貫く。エレベーター１において、複数の乗場３の各々は、建築物の複数の階の各々に設けられる。複数の乗場３の各々は、昇降路２に対向する。エレベーター１において、複数の乗場扉４の各々は、複数の乗場３の各々に設けられる。エレベーター１は、巻上機５と、主ロープ６と、かご７と、釣合い重り８と、複数の乗場操作盤９と、制御盤１０と、を備える。
【００１２】
巻上機５は、例えば昇降路２の上部に設けられる。巻上機５は、図示されないモーターと、シーブと、を備える。巻上機５のモーターは、シーブを回転させる装置である。
【００１３】
主ロープ６は、巻上機５のシーブの回転に追従して移動しうるように、巻上機５のシーブに巻きかけられる。主ロープ６の一端は、例えばかご７に取り付けられる。主ロープ６の他端は、例えば釣合い重り８に取り付けられる。
【００１４】
かご７は、主ロープ６の移動に追従して鉛直方向に走行することにより、建築物の複数の階の間で利用者を輸送する装置である。かご７は、昇降路２の内部に設けられる。かご７は、かご扉１１と、かご操作盤１２と、を備える。かご扉１１は、かご７が建築物の複数の階のいずれかに停止しているときに開閉する装置である。かご扉１１は、乗場扉４を連動して開閉させる機構を備える。かご操作盤１２は、かご７に乗車している利用者の操作を受け付ける装置である。かご操作盤１２は、例えばかご７の内側の側面に設けられる。かご操作盤１２は、エレベーターの操作盤の例である。エレベーターの操作盤は、複数の操作ボタン１３を備える。操作ボタン１３は、利用者の操作を受け付ける装置である。
【００１５】
釣合い重り８は、主ロープ６を通じて巻上機５のシーブの両側にかかる荷重のかご７との釣合いを取る装置である。釣合い重り８は、昇降路２の内部に設けられる。
【００１６】
複数の乗場操作盤９の各々は、複数の乗場３の各々に設けられる。複数の乗場操作盤９の各々は、当該乗場操作盤９が設けられる乗場３において利用者の操作を受け付ける装置である。複数の乗場操作盤９の各々は、例えば当該乗場操作盤９が設けられる乗場３の壁面に設けられる。複数の乗場操作盤９の各々は、エレベーターの操作盤の例である。
【００１７】
制御盤１０は、エレベーター１の動作を制御する装置である。エレベーター１の動作は、例えばかご７の走行を含む。制御盤１０は、例えば昇降路２の上部に設けられる。制御盤１０は、利用者の操作の情報を取得しうるように、かご操作盤１２および複数の乗場操作盤９の各々に接続される。制御盤１０は、取得した利用者の操作の情報に基づいてかご７の走行を制御しうるように、巻上機５に接続される。
【００１８】
続いて、図２を用いて、乗場操作盤９の構成を説明する。
図２は、実施の形態１に係る乗場操作盤の正面図である。
【００１９】
乗場操作盤９は、フェースプレート１４と、図示されない取付け板と、インジケーター１５と、一対の乗場呼びボタン１６と、一対の車椅子乗場呼びボタン１７と、ボタン制御部１８と、を備える。
【００２０】
フェースプレート１４は、乗場操作盤９の前面をなす板である。フェースプレート１４は、複数の穴を有する。取付け板は、フェースプレート１４より後方に設けられる板である。取付け板は、フェースプレート１４の後面に対向する。
【００２１】
インジケーター１５は、エレベーター１の状態を表示する装置である。エレベーター１の状態は、例えば現在のかご７の走行方向、または現在のかご７の位置に対応する階数などである。インジケーター１５は、例えば液晶ディスプレイである。インジケーター１５は、例えば乗場操作盤９の上端に設けられる。インジケーター１５は、フェースプレート１４の穴から前面に露出する。
【００２２】
一対の乗場呼びボタン１６の各々は、利用者による乗場呼びの登録の操作を受け付けるボタンである。一対の乗場呼びボタン１６の各々は、取付け板に取り付けられる。一対の乗場呼びボタン１６の各々は、フェースプレート１４の穴から前面に露出する。一対の乗場呼びボタン１６の各々は、操作ボタン１３の例である。
【００２３】
一対の乗場呼びボタン１６の一方は、上昇ボタンである。一対の乗場呼びボタン１６の他方は、下降ボタンである。上昇ボタンは、乗場操作盤９が設けられる階より上方の階への乗場呼びの登録の操作を受け付けるボタンである。下降ボタンは、乗場操作盤９が設けられる階より下方の階への乗場呼びの登録の操作を受け付けるボタンである。乗場操作盤９は、上昇ボタンまたは下降ボタンのいずれか一方のみの乗場呼びボタン１６を備えてもよい。
【００２４】
一対の車椅子乗場呼びボタン１７の各々は、例えば車椅子を使用する利用者による乗場呼びの登録の操作を受け付けるボタンである。一対の車椅子乗場呼びボタン１７の各々は、取付け板に取り付けられる。一対の車椅子乗場呼びボタン１７の各々は、フェースプレート１４の穴から前面に露出する。一対の車椅子乗場呼びボタン１７の各々は、例えば乗場操作盤９の下端に設けられる。一対の車椅子乗場呼びボタン１７の各々は、操作ボタン１３の例である。
【００２５】
一対の車椅子乗場呼びボタン１７の一方は、上昇ボタンである。一対の車椅子乗場呼びボタン１７の他方は、下降ボタンである。乗場操作盤９は、上昇ボタンまたは下降ボタンのいずれか一方のみの車椅子乗場呼びボタン１７を備えてもよい。乗場操作盤９は、車椅子乗場呼びボタン１７を備えなくてもよい。
【００２６】
乗場操作盤９のボタン制御部１８は、乗場操作盤９の複数の操作ボタン１３の各々が受け付けた利用者の操作の情報を取得する部分である。ボタン制御部１８は、フェースプレート１４より後方に設けられる。ボタン制御部１８は、複数の操作ボタン１３の各々に電力を供給する出力基板を備える。
【００２７】
続いて、図３を用いて、かご操作盤１２の構成を説明する。
図３は、実施の形態１に係るかご操作盤の正面図である。
【００２８】
かご操作盤１２は、フェースプレート１４と、図示されない取付け板と、インジケーター１５と、複数の行先階ボタン１９と、扉開ボタン２０と、扉閉ボタン２１と、通話ボタン２２と、非常ボタン２３と、ボタン制御部１８と、を備える。
【００２９】
フェースプレート１４は、乗場操作盤９の前面をなす板である。フェースプレート１４は、複数の穴を有する。取付け板は、フェースプレート１４より後方に設けられる板である。取付け板は、フェースプレート１４の後面に対向する。
【００３０】
インジケーター１５は、エレベーター１の状態を表示する装置である。インジケーター１５は、例えば液晶ディスプレイである。インジケーター１５は、例えばかご操作盤１２の上端に設けられる。インジケーター１５は、フェースプレート１４の穴から前面に露出する。
【００３１】
複数の行先階ボタン１９の各々は、建築物の複数の階の各々に対応する。複数の行先階ボタン１９の各々は、当該行先階ボタン１９が対応する階を行先階とするかご呼びの登録の利用者による操作を受け付けるボタンである。複数の行先階ボタン１９の各々は、取付け板に取り付けられる。複数の行先階ボタン１９の各々は、フェースプレート１４の穴から前面に露出する。複数の行先階ボタン１９の各々は、操作ボタン１３の例である。
【００３２】
扉開ボタン２０は、かご扉１１を開く操作を受け付けるボタンである。扉開ボタン２０は、取付け板に取り付けられる。扉開ボタン２０は、フェースプレート１４の穴から前面に露出する。扉開ボタン２０は、操作ボタン１３の例である。
【００３３】
扉閉ボタン２１は、かご扉１１を閉じる操作を受け付けるボタンである。扉閉ボタン２１は、取付け板に取り付けられる。扉閉ボタン２１は、フェースプレート１４の穴から前面に露出する。扉閉ボタン２１は、操作ボタン１３の例である。
【００３４】
通話ボタン２２は、例えば非常時などにおいて利用者によるかご７の外部との通話の開始の操作を受け付けるボタンである。通話ボタン２２は、取付け板に取り付けられる。通話ボタン２２は、フェースプレート１４の穴から前面に露出する。通話ボタン２２は、操作ボタン１３の例である。
【００３５】
非常ボタン２３は、例えば異常な事態が発生したことを通報する操作を受け付けるボタンである。非常ボタン２３は、取付け板に取り付けられる。非常ボタン２３は、フェースプレート１４の穴から前面に露出する。非常ボタン２３は、操作ボタン１３の例である。
【００３６】
かご操作盤１２のボタン制御部１８は、かご操作盤１２の複数の操作ボタン１３の各々が受け付けた利用者の操作の情報を取得する部分である。ボタン制御部１８は、フェースプレート１４より後方に設けられる。ボタン制御部１８は、複数の操作ボタン１３の各々に電力を供給する出力基板を備える。
【００３７】
続いて、図４および図５を用いてエレベーター１の操作ボタン１３の構成を説明する。
図４は、実施の形態１に係る操作ボタンのブロック図である。図５は、実施の形態１に係る操作ボタンの分解斜視図である。
【００３８】
操作ボタン１３は、プッシュボタンユニット２４と、タッチボタンユニット２５と、を備える。
【００３９】
プッシュボタンユニット２４は、プッシュ検出部２６と、複数の発光素子２７と、接続端子２８と、を備える。
【００４０】
プッシュ検出部２６は、利用者のプッシュ操作を検出する部分である。利用者のプッシュ操作は、操作ボタン１３の前面を押し込む操作である。プッシュ検出部２６は、例えばタクタイルスイッチである。
【００４１】
複数の発光素子２７の各々は、電力が供給されることによって可視光を発する素子である。複数の発光素子２７の各々は、例えばＬＥＤ（Ｌｉｇｈｔ  Ｅｍｉｔｔｉｎｇ  Ｄｉｏｄｅ）である。
【００４２】
プッシュボタンユニット２４の接続端子２８は、プッシュボタンユニット２４において電気信号の通信および電力供給を行う端子である。接続端子２８は、例えば信号線、電源線、およびコモン線に接続される。接続端子２８は、検出された利用者の操作の情報を信号線によって送信しうるように、プッシュ検出部２６に接続される。接続端子２８は、電源線を通じて電力を供給しうるように、複数の発光素子２７に接続される。
【００４３】
タッチボタンユニット２５は、タッチボタンキャップ２９と、タッチ検出部３０と、接続端子２８と、を備える。
【００４４】
タッチボタンキャップ２９は、タッチ電極３１を備える。タッチ電極３１は、利用者に接触される電極である。タッチボタンキャップ２９は、接触面Ｓ１を有する。接触面Ｓ１は、利用者が接触する面である。接触面Ｓ１は、例えばタッチ電極３１の表面である。
【００４５】
タッチ検出部３０は、利用者のタッチ操作を検出する部分である。利用者のタッチ操作は、操作ボタン１３の接触面Ｓ１に例えば指で触れる操作である。タッチ検出部３０は、接触面と基準電位点との間の静電容量Ｃの変化に基づいて接触面Ｓ１に触れる利用者のタッチ操作を検出する検出基板である。基準電位点は、例えばアースまたはグラウンドである。
【００４６】
タッチボタンユニット２５の接続端子２８は、タッチボタンユニット２５において電気信号の通信および電力供給を行う端子である。接続端子２８は、例えば信号線、電源線、およびコモン線に接続される。接続端子２８は、検出された利用者の操作の情報を信号線によって送信しうるように、タッチ検出部３０に接続される。接続端子２８は、電源線を通じて電力を供給しうるように、例えばタッチ検出部３０に接続される。接触面Ｓ１の基準電位点の電位は、例えばコモン線の電位であってもよい。
【００４７】
信号線、電源線、およびコモン線は、ボタン制御部１８に接続される。信号線、電源線、およびコモン線などの配線は、ボタン制御部１８から見て途中で分岐することでプッシュボタンユニット２４およびタッチボタンユニット２５の両方の接続端子２８に接続されてもよい。あるいは、信号線、電源線、およびコモン線などの配線は、プッシュボタンユニット２４またはタッチボタンユニット２５のうちの選択されたいずれか一方の接続端子２８にボタン制御部１８から接続されてもよい。この場合、プッシュボタンユニット２４およびタッチボタンユニット２５の各々の接続端子２８の端子形状は、抜き差しが可能な共通の形状である。
【００４８】
図５において、紙面の上方向は、前方向をあらわす。図５の操作ボタン１３は、例えば乗場呼びボタン１６として利用される。
【００４９】
プッシュボタンユニット２４は、ベース３２と、変位部３３と、を備える。
【００５０】
ベース３２は、矩形状の部材である。ベース３２は、取付け部３４を四隅に有する。取付け部３４は、例えば前後に貫通するネジ穴である。ベース３２は、取付け部３４のネジ止めによって例えば取付け板に取り付けられる。
【００５１】
変位部３３は、矩形状の部材である。変位部３３は、ベース３２の前面において、例えば図示されないバネによって前後方向に変位可能に保持される。変位部３３は、第１接続部３５を有する。第１接続部３５は、例えば円環状のリブである。第１接続部３５は、変位部３３の接続部の例である。第１接続部３５は、例えば可視光を透過させる透明材料または半透明材料などで形成されてもよい。第１接続部３５は、例えば外側面に取付け溝３６を有する。第１接続部３５は、例えばプッシュボタンキャップ３７が着脱可能に取付けられる部分である。
【００５２】
プッシュボタンキャップ３７は、例えば矩形状の部材である。プッシュボタンキャップ３７は、例えば可視光を透過させる透明材料または半透明材料などで形成される。プッシュボタンキャップ３７は、可視光を透過させない文字または記号などの表示を表面の一部に有してもよい。プッシュボタンキャップ３７は、前面に押下面Ｓ２を有する。押下面Ｓ２は、例えば押下などの操作ボタン１３に受け付けられる操作が利用者によって行われる面である。
【００５３】
プッシュボタンキャップ３７は、例えば押下面Ｓ２の裏側に爪３８を有する。爪３８は、例えば樹脂などの弾性材料で形成される。プッシュボタンキャップ３７は、爪３８が第１接続部３５の取付け溝３６に外側から係り合うことによって、変位部３３への着脱が可能な部材である。
【００５４】
プッシュ検出部２６は、ベース３２の前面に設けられる。プッシュ検出部２６は、変位部３３の後面に接する。
【００５５】
複数の発光素子２７は、変位部３３の前面に設けられる。複数の発光素子２７は、例えば第１接続部３５の内側に設けられる。
【００５６】
接続端子２８は、ベース３２の側面に設けられる。
【００５７】
タッチボタンユニット２５のタッチボタンキャップ２９は、例えば矩形状の部材である。タッチボタンキャップ２９は、例えば可視光を透過させる透明材料または半透明材料などで形成される。タッチボタンキャップ２９は、可視光を透過させない文字または記号などの表示を表面の一部に有してもよい。タッチボタンキャップ２９は、第２接続部３９と、規制部４０と、を有する。
【００５８】
第２接続部３９は、タッチボタンキャップ２９の背面に設けられる。第２接続部３９は、変位部３３の第１接続部３５に接続する部分である。第２接続部３９は、例えば樹脂などの弾性材料で形成される。第２接続部３９は、例えば可視光を透過させる透明材料または半透明材料などで形成されてもよい。第２接続部３９は、爪３８を有する。タッチボタンキャップ２９は、第２接続部３９の爪３８が第１接続部３５の取付け溝３６に外側から係り合うことによって、変位部３３への着脱が可能な部材である。すなわち、変位部３３の第１接続部３５は、タッチボタンキャップ２９が着脱可能に取付けられる部分でもある。
【００５９】
規制部４０は、タッチボタンユニット２５が取り付けられたプッシュボタンユニット２４の変位部３３の前後方向の変位を妨げる部分である。規制部４０は、例えばタッチボタンキャップ２９の前面の外周から後方に立ち上がる。規制部４０は、後方に延びる。規制部４０は、プッシュボタンユニット２４の周囲を覆う。規制部４０の後端は、取付け板に接する。
【００６０】
タッチ電極３１は、タッチボタンキャップ２９の前面に設けられる。タッチ電極３１は、例えば可視光を透過させない金属などで形成される。
【００６１】
タッチ検出部３０は、タッチボタンキャップ２９の後面に設けられる。タッチ検出部３０は、タッチ電極３１の裏側に設けられる。
【００６２】
接続端子２８は、タッチボタンキャップ２９の側面に設けられる。
【００６３】
引き続き図５を用いて、実施の形態１に係る操作ボタン１３および操作盤の動作の例を説明する。この例において、操作ボタン１３としてかご操作盤１２の行先階ボタン１９に対する利用者の操作を説明する。
【００６４】
まず、操作ボタン１３が利用者のタッチ操作を受け付ける場合について説明する。この場合において、タッチボタンユニット２５は、プッシュボタンユニット２４に取り付けられている。
【００６５】
利用者は、停止したかご７に乗場３から乗車する。利用者は、行先階に対応する行先階ボタン１９を操作する。利用者は、操作ボタン１３である行先階ボタン１９の接触面Ｓ１に前面から指で触れる。ここで、接触面Ｓ１はタッチ電極３１の表面である。
【００６６】
利用者の指が触れたタッチボタンキャップ２９は、後方向に押される。このとき、後端が取付け板に接している規制部４０は、タッチボタンキャップ２９の後方向への変位を妨げる。ここで、タッチボタンキャップ２９の第２接続部３９は、変位部３３の第１接続部３５と接続している。変位部３３は、タッチボタンキャップ２９と連動して前後方向に変位する。このため、規制部４０は、タッチボタンキャップ２９に連動する変位部３３の後方向への変位も妨げる。変位部３３が後方向に変位しないので、プッシュ検出部２６は、利用者のプッシュ操作を検出しない。
【００６７】
一方、利用者の指が接触面Ｓ１であるタッチ電極３１の表面に触れることで、利用者の人体の誘電率により、接触面Ｓ１と基準電位点との間の静電容量Ｃが変化する。タッチ検出部３０は、当該静電容量Ｃの変化を検出することによって、利用者のタッチ操作を検出する。行先階ボタン１９は、接続端子２８から信号線を通じて、ボタン制御部１８に利用者の操作を検出した信号を出力する。
【００６８】
ボタン制御部１８は、検出された利用者の操作の情報を制御盤１０に送信する。この例において、ボタン制御部１８は、利用者に選択された行先階へのかご呼びの情報を制御盤１０に送信する。ボタン制御部１８は、出力基板および電源線から接続端子２８を通じて、利用者の操作が検出された操作ボタン１３の複数の発光素子２７の各々に電力を供給する。複数の発光素子２７の各々は、可視光を発する。複数の発光素子２７から発せられた可視光は、タッチボタンキャップ２９を透過する。これにより、利用者の操作が検出された操作ボタン１３は点灯する。
【００６９】
利用者は、操作ボタン１３の点灯によって操作が受け付けられたことを確認する。
【００７０】
次に、操作ボタン１３が受け付ける利用者の操作の方法をプッシュ操作に切り替える際の作業について説明する。
【００７１】
例えばエレベーター１の保守員は、フェースプレート１４を取り外す。保守員は、プッシュボタンユニット２４のベース３２が取付け板に取り付けられたままの状態で、タッチボタンユニット２５の第２接続部３９をプッシュボタンユニット２４の第１接続部３５から取り外す。第２接続部３９の爪３８は弾性材料で形成されているので、保守員は、例えばタッチボタンユニット２５を前方に引き抜くことでプッシュボタンユニット２４から取り外すことができる。その後、保守員は、プッシュボタンキャップ３７をプッシュボタンユニット２４の第１接続部３５に取り付ける。爪３８は弾性材料で形成されているので、保守員は、例えばプッシュボタンキャップ３７を前方から押し付けることでプッシュボタンユニット２４に取り付けることができる。その後、保守員は、フェースプレート１４を取り付ける。
【００７２】
次に、操作ボタン１３が利用者のプッシュ操作を受け付ける場合について説明する。
【００７３】
利用者は、操作ボタン１３に取り付けられたプッシュボタンキャップ３７の押下面Ｓ２を前面から押下する。
【００７４】
押下面Ｓ２が押下されるプッシュボタンキャップ３７は、操作ボタン１３の変位部３３とともに、バネの弾性力に抗しながら後方向に変位する。変位部３３は、後方向に変位することによって後面でプッシュ検出部２６を押す。プッシュ検出部２６は、後方向に変位した変位部３３に押されることによって、利用者の操作を検出する。行先階ボタン１９は、ボタン制御部１８に利用者の操作を検出した信号を出力する。
【００７５】
以上に説明したように、実施の形態１に係る操作盤は、操作ボタン１３を備える。操作ボタン１３は、プッシュボタンユニット２４と、タッチボタンキャップ２９と、タッチ検出部３０と、を備える。プッシュボタンユニット２４は、変位部３３、およびプッシュ検出部２６を備える。変位部３３は、前後方向に変位可能に保持される。プッシュ検出部２６は、変位部３３の変位によって利用者の前方からのプッシュ操作を検出する。タッチボタンキャップ２９は、プッシュボタンユニット２４の前方に着脱可能に取り付けられる。タッチボタンキャップ２９は、前面に接触面Ｓ１を有する。タッチ検出部３０は、接触面Ｓ１に触れる利用者のタッチ操作を検出する。タッチ検出部３０は、タッチボタンキャップ２９に設けられる。
【００７６】
タッチ検出部３０は、タッチボタンユニット２５に設けられる。このため、操作ボタン１３が受け付ける利用者の操作の方法は、タッチボタンユニット２５の着脱によって切り替えられる。この際、ベース３２は、取付け板に取り付けられた状態のままでもよい。これにより、操作ボタン１３が受け付ける利用者の操作の方法の切替えが容易になる。したがって、エレベーター１の設置後においても、例えば建築物の入居者または利用者の変化などに応じて、利用者に対するインターフェースが柔軟に選択できる。
【００７７】
また、タッチボタンユニット２５に故障などが生じた場合においても、タッチボタンユニット２５を取り外すことによって、プッシュ操作を受け付けるボタンとして操作ボタン１３を利用可能な状態に容易にすることができる。
【００７８】
また、可動部である変位部３３を有するプッシュボタンユニット２４が共通化される。可動部に故障が発生した場合の交換部品が共通化される。これにより、操作盤の保守性が向上する。
【００７９】
また、タッチボタンキャップ２９は、変位部３３の前後方向の変位を妨げる規制部４０を有する。
【００８０】
利用者のタッチ操作によって、変位部３３は変位しない。このため、接触面Ｓ１の位置が安定する。これにより、利用者のタッチ操作がより安定して検出される。
【００８１】
また、タッチボタンキャップ２９は、変位部３３に取り付けられる。規制部４０は、プッシュボタンユニット２４の外周より外側において、タッチボタンキャップ２９の前面の外周から後方に向けて立ち上がる。また、タッチボタンキャップ２９は、プッシュボタンユニット２４の外周を覆う。
【００８２】
タッチボタンキャップ２９が変位部３３に取り付けられることによって、規制部４０は、タッチボタンキャップ２９の前後方向の変位を妨げる。変位部３３は、タッチボタンキャップ２９と連動して前後方向に変位する。このため、規制部４０は、タッチボタンキャップ２９に連動する変位部３３の前後方向の変位も妨げる。これにより、変位部３３の変位は、容易に制限できる。
【００８３】
また、プッシュボタンユニット２４は、変位部３３の前面に設けられ可視光を発する発光素子２７を備える。タッチボタンキャップ２９の少なくとも一部は、可視光を透過させる。
【００８４】
操作ボタン１３は、複数の発光素子２７の発光によって点灯する。これにより、利用者は、操作ボタン１３の点灯によって操作が受け付けられたことを確認できる。タッチボタンキャップ２９は、全体が可視光を透過させるものであってもよい。タッチボタンキャップ２９は、文字または記号などの表示を表す例えば凹凸などを表面の一部に有してもよい。
【００８５】
また、タッチボタンキャップ２９の接触面Ｓ１の一部は、可視光を透過させない。タッチ検出部３０は、接触面Ｓ１の可視光を透過させない部分の後側に設けられる。
【００８６】
これにより、タッチ検出部３０の影によって操作ボタン１３の点灯の明るさが低下しない。
【００８７】
また、タッチ検出部３０は、接触面Ｓ１と基準電位点との間の静電容量Ｃの変化に基づいて接触面Ｓ１に触れる利用者のタッチ操作を検出する。
【００８８】
なお、操作ボタン１３は、ストッパーを備えてもよい。ストッパーは、変位部３３の前後方向の変位を妨げる。ストッパーは、例えば変位部３３の下方に着脱可能に差し込まれるピンなどの部材である。このとき、ストッパーは、プッシュボタンユニット２４のベース３２の側面に設けられる貫通孔を通じて差し込まれてもよい。これにより、ストッパーの挿抜によって、プッシュ操作の検出の機能の有効または無効が容易に切り替えられる。
【００８９】
また、信号線、電源線、およびコモン線などの配線は、ボタン制御部１８からプッシュボタンユニット２４またはタッチボタンユニット２５のうちの選択されたいずれか一方の接続端子２８に接続されてもよい。これにより、ストッパーの挿抜、および接続端子２８の差替えによって、操作ボタン１３が受け付ける利用者の操作の方法が容易に切り替えられる。このとき、ストッパーが取り外された操作ボタン１３のタッチボタンユニット２５は、プッシュボタンキャップ３７として動作してもよい。
【００９０】
また、第１接続部３５および第２接続部３９は、側面に切られたネジによって接続されてもよい。また、タッチボタンユニット２５は、プッシュボタンユニット２４のベース３２に着脱可能に取り付けられてもよい。
【産業上の利用可能性】
【００９１】
本発明に係る操作ボタンおよび操作盤は、エレベーターに適用できる。
【符号の説明】
【００９２】
１  エレベーター、  ２  昇降路、  ３  乗場、  ４  乗場扉、  ５  巻上機、  ６  主ロープ、  ７  かご、  ８  釣合い重り、  ９  乗場操作盤、  １０  制御盤、  １１  かご扉、  １２  かご操作盤、  １３  操作ボタン、  １４  フェースプレート、  １５  インジケーター、  １６  乗場呼びボタン、  １７  車椅子乗場呼びボタン、  １８  ボタン制御部、  １９  行先階ボタン、  ２０  扉開ボタン、  ２１  扉閉ボタン、  ２２  通話ボタン、  ２３  非常ボタン、  ２４  プッシュボタンユニット、  ２５  タッチボタンユニット、  ２６  プッシュ検出部、  ２７  発光素子、  ２８  接続端子、  ２９  タッチボタンキャップ、  ３０  タッチ検出部、  ３１  タッチ電極、  ３２  ベース、  ３３  変位部、  ３４  取付け部、  ３５  第１接続部、  ３６  取付け溝、  ３７  プッシュボタンキャップ、  ３８  爪、  ３９  第２接続部、  ４０  規制部、  Ｓ１  接触面、  Ｓ２  押下面
【図１】
2020084661.tif 000003
【図２】
2020084661.tif 000004
【図３】
2020084661.tif 000005
【図４】
2020084661.tif 000006
【図５】
2020084661.tif 000007
【国際調査報告】
2020084661.tif 000008
2020084661.tif 000009